(57)【要約】【課題】管理装置と被管理装置との間の通信機能をより活用できるようにする。【解決手段】管理装置ＣＵとその管理装置ＣＵに管理される被管理装置ＲＣとが通信用信号線３にて接続されてデジタル信号にて通信する通信システムにおいて、前記管理装置ＣＵから前記被管理装置ＲＣへ送信するデジタル信号と、前記被管理装置ＲＣから前記管理装置ＣＵへ送信するデジタル信号とが同一の信号線を共用して伝送されるように構成され、前記管理装置ＣＵから前記被管理装置ＲＣへ送信するデジタル信号の信号レベルと、前記被管理装置ＲＣから前記管理装置ＣＵへ送信するデジタル信号の信号レベルとが異なるように設定されている。【選択図】図１
2007311959.tif 000002
【特許請求の範囲】
【請求項１】
管理装置とその管理装置に管理される被管理装置とが通信用信号線を経て接続されてデジタル信号にて通信する通信システムであって、
前記管理装置から前記被管理装置へ送信するデジタル信号と、前記被管理装置から前記管理装置へ送信するデジタル信号とが同一の信号線を共用して伝送されるように構成され、
前記管理装置から前記被管理装置へ送信するデジタル信号の信号レベルと、前記被管理装置から前記管理装置へ送信するデジタル信号の信号レベルとが異なるように設定されている通信システム。
【請求項２】
１つの前記管理装置が複数の前記被管理装置を管理するように構成され、
前記通信用信号線を、複数の前記被管理装置で共用するように接続されている請求項１記載の通信システム。
【請求項３】
前記通信用信号線において、前記管理装置から前記被管理装置への送信と、前記被管理装置から前記管理装置への送信とが交互に行われるように構成され、
前記被管理装置に、前記被管理装置を動作させるための電力を供給する入り状態と前記電力の供給を停止する切り状態とに切換えるスイッチ装置と、前記管理装置から送信されてくる信号レベルのデジタル信号を受信したときに前記管理装置と前記被管理装置との間で相互に送受信可能となるように前記スイッチ装置を設定期間の間前記入り状態に維持させるように制御し且つ前記被管理装置から送信する信号レベルのデジタル信号によっては前記スイッチ装置を前記入り状態には維持させないように制御するスイッチ制御回路とが備えられている請求項１又は２記載の通信システム。
【請求項４】
前記スイッチ制御回路に、前記管理装置から前記被管理装置へ送信するデジタル信号によって充電されるコンデンサが備えられ、
前記スイッチ装置は、前記コンデンサの充電電圧が設定電圧よりも高いときに前記入り状態となり、前記コンデンサの充電電圧が設定電圧よりも低いときに前記切り状態となるように構成され、
前記被管理装置から前記管理装置へ前記通信用信号線を経て送信するデジタル信号の信号レベルは、前記コンデンサの充電電圧が前記スイッチ装置を前記入り状態とする電圧とはならない信号レベルに設定され、且つ、前記管理装置から前記被管理装置へ前記通信用信号線を経て送信するデジタル信号の信号値及び信号レベル並びに前記コンデンサの放電時定数は、前記被管理装置から前記管理装置へ送信する期間における放電により低下する前記コンデンサの充電電圧が、前記スイッチ装置を前記入り状態とする電圧を維持するように設定されている請求項３記載の通信システム。
【発明の詳細な説明】
【技術分野】
【０００１】
本発明は、管理装置とその管理装置に管理される被管理装置とが通信用信号線を経て接続されてデジタル信号にて通信する通信システムに関する。
【背景技術】
【０００２】
このような通信システムとしては、例えば下記特許文献１に記載のような自動車用バッテリの管理のためのシステムにおいては、バッテリの動作状態を監視するバッテリ管理ユニット（被管理装置）と、それを管理する管理装置である車両制御ユニットとの間の通信のための通信システムがある。
このような管理装置と被管理装置との間は、例えば所定の規格のシリアル通信等によって通信用信号線を介して必要なデータ等の授受が行われ、従来、やり取りされるデジタル信号は管理装置から被管理装置へ送信されるデジタル信号と、被管理装置から管理装置へ送信されるデジタル信号とで信号レベルを共通とするのが一般的である。
【特許文献１】特開平８−１４０２０６号公報
【発明の開示】
【発明が解決しようとする課題】
【０００３】
しかしながら、管理装置から被管理装置へ送信されるデジタル信号と、被管理装置から管理装置へ送信されるデジタル信号とで単純に信号レベルを共通としたのでは、両者の間の通信機能を十分に活用したものではなかった。
本発明は、かかる実情に鑑みてなされたものであって、その目的は、管理装置と被管理装置との間の通信機能をより活用できるようにする点にある。
【課題を解決するための手段】
【０００４】
本出願の第１の発明は、管理装置とその管理装置に管理される被管理装置とが通信用信号線を経て接続されてデジタル信号にて通信する通信システムにおいて、前記管理装置から前記被管理装置へ送信するデジタル信号と、前記被管理装置から前記管理装置へ送信するデジタル信号とが同一の信号線を共用して伝送されるように構成され、前記管理装置から前記被管理装置へ送信するデジタル信号の信号レベルと、前記被管理装置から前記管理装置へ送信するデジタル信号の信号レベルとが異なるように設定されている。
すなわち、前記管理装置から前記被管理装置への送信と前記被管理装置から前記管理装置への送信とを同一の信号線で行うことで信号線の数を減らせるのであるが、このような構成とすることで、一つの信号線に前記管理装置から送信される信号と前記被管理装置から送信される信号との両方が存在し得ることになる。
このような場合において、信号の発信元に応じて信号レベルを異ならせることで、そのデジタル信号の信号レベルに応じて異なる回路動作をさせるように回路を構成したり、あるいは、デジタル信号の送信元の特定に利用することが可能となる。
尚、この信号レベルを異ならせる程度は、受信側の回路構成において信号レベルの相違を識別して動作可能な程度に信号レベル差を有していれば十分である。
【０００５】
又、本出願の第２の発明は、上記第１の発明の構成に加えて、１つの前記管理装置が複数の前記被管理装置を管理するように構成され、前記通信用信号線を、複数の前記被管理装置で共用するように接続されている。
従って、１つの管理装置が複数の被管理装置を管理する場合においても、これらの間の信号配線を可及的に簡素化できるものであり、又、１つの信号線を前記管理装置から送信された信号や複数の前記被管理装置のいずれかから送信された信号が行き交う状況下においても、前記管理装置から送信された信号であるかあるいは前記被管理装置から送信された信号であるかを区別でき、信号レベルに応じた回路制御やあるいは送信元の識別を行うことができる。
【０００６】
又、本出願の第３の発明は、上記第１又は第２の発明の構成に加えて、前記通信用信号線において、前記管理装置から前記被管理装置への送信と、前記被管理装置から前記管理装置への送信とが交互に行われるように構成され、前記被管理装置に、前記被管理装置を動作させるための電力を供給する入り状態と前記電力の供給を停止する切り状態とに切換えるスイッチ装置と、前記管理装置から送信されてくる信号レベルのデジタル信号を受信したときに前記管理装置と前記被管理装置との間で相互に送受信可能となるように前記スイッチ装置を設定期間の間前記入り状態に維持させるように制御し且つ前記被管理装置から送信する信号レベルのデジタル信号によっては前記スイッチ装置を前記入り状態には維持させないように制御するスイッチ制御回路とが備えられている。
【０００７】
従って、管理装置から被管理装置へ信号を送信しないときは、被管理装置への動作用の電力の供給が停止されるので、被管理装置の動作用電力の供給を管理装置側から制御できることになり、管理装置による管理下で省電力化を図れる。
しかも、管理装置から被管理装置への送信と被管理装置から管理装置への送信とで同一の信号線を共用していることから、被管理装置から送信出力される信号によって前記スイッチ装置がどのような影響をうけるかが問題となるが、被管理装置から送信出力されるデジタル信号の信号レベルでは前記スイッチ装置を入り状態に維持することはないので、被管理装置が何らかの理由により暴走して送信出力を継続したままの状態となってしまったような場合でも、被管理装置へ動作用電力が供給される状態のままで保持されてしまうようなことがなく、あくまでも、管理装置からの送信出力が停止すると被管理装置への動作用電力の供給も停止する。
【０００８】
又、本出願の第４の発明は、上記第３の発明の構成に加えて、前記スイッチ制御回路に、前記管理装置から前記被管理装置へ送信するデジタル信号によって充電されるコンデンサが備えられ、前記スイッチ装置は、前記コンデンサの充電電圧が設定電圧よりも高いときに前記入り状態となり、前記コンデンサの充電電圧が設定電圧よりも低いときに前記切り状態となるように構成され、前記被管理装置から前記管理装置へ前記通信用信号線を経て送信するデジタル信号の信号レベルは、前記コンデンサの充電電圧が前記スイッチ装置を前記入り状態とする電圧とはならない信号レベルに設定され、且つ、前記管理装置から前記被管理装置へ前記通信用信号線を経て送信するデジタル信号の信号値及び信号レベル並びに前記コンデンサの放電時定数は、前記被管理装置から前記管理装置へ送信する期間における放電により低下する前記コンデンサの充電電圧が、前記スイッチ装置を前記入り状態とする電圧を維持するように設定されている。
【０００９】
すなわち、被管理装置への動作用電力の供給を入り切りする前記スイッチ装置は、コンデンサの充電電圧によって入り切りを切換え操作される構成として、管理装置から被管理装置へ送信する信号によってそのコンデンサを充電する。
管理装置から被管理装置へ信号を送信する状態から、被管理装置から管理装置へ信号を送信する状態に切換えられると、前記コンデンサは充電から放電へと移行するが、その放電によって前記コンデンサの充電電圧が低下しても、被管理装置から管理装置へ信号を送信する期間は前記スイッチ装置が前記入り状態を維持するように、前記コンデンサの充電レベルと放電のスピード、すなわち、管理装置から被管理装置へ送信されるデジタル信号の信号値及び信号レベル並びにコンデンサの放電時定数が設定されている。
【００１０】
従って、管理装置から被管理装置へ周期的に信号が送信されている間は被管理装置へ動作用電力が供給されるが、管理装置から被管理装置へ信号が送信されなくなると、前記コンデンサの充電電圧が放電によって更に低下して、前記スイッチ装置を前記切り状態とし、被管理装置への動作用電力の供給が停止する。
尚、管理装置から被管理装置への送信と被管理装置から管理装置への送信とで同一の信号線を共有する関係上、回路上は、被管理装置から管理装置への送信信号もスイッチ制御回路に入力される関係となるが、その入力信号によっては、前記コンデンサの充電電圧が前記スイッチ装置を前記入り状態とする電圧となってしまうことはないので、たとえ被管理装置が暴走するような事態となっても、管理装置から被管理装置への周期的な信号の送信が停止すると、確実に、被管理装置への動作用電力の供給は停止されて、被管理装置は作動を停止する。
【発明の効果】
【００１１】
上記第１の発明によれば、前記被管理装置と前記管理装置との信号線の数を可及的に減らしながらも、送受信されるデジタル信号の信号レベルに応じて異なる回路動作をさせるように回路を構成したり、あるいは、デジタル信号の送信元の特定に利用することが可能となり、管理装置と被管理装置との間の通信機能をより活用できるものとなった。
又、上記第２の発明によれば、１つの管理装置が複数の被管理装置を管理する場合においても信号配線を可及的に簡素化しながら、前記管理装置から送信された信号であるかあるいは前記被管理装置から送信された信号であるかを区別でき、信号の送信元に応じた的確な対応動作が可能となる。
【００１２】
又、上記第３の発明によれば、管理装置が被管理装置との通信を必要としないときは被管理装置への動作用の電力の供給が停止されて、管理装置による管理下で省電力化を図れると共に、被管理装置が何らかの理由により暴走して送信出力を継続したままの状態となってしまったような場合でも、被管理装置へ動作用電力が供給される状態のままで保持されてしまうようなことがない。
又、上記第４の発明によれば、被管理装置から管理装置へ送信するデジタル信号の信号レベルと管理装置から被管理装置へ送信するデジタル信号の信号レベルとを異ならせていることを、コンデンサへの充電状態の違いとして把握して被管理装置への動作電力の供給状態を制御することで、極めて簡素な回路構成で管理装置側から被管理装置での電力消費を管理することができる。
【発明を実施するための最良の形態】
【００１３】
以下、本発明の通信システムを、電池モジュールの動作を管理装置にて管理するシステムにおける両者の間の通信に適用した場合の実施の形態を、図面に基づいて説明する。
このシステムは、図１のブロック図に示すように、例えば電池の電力で動作する走行車両等に備えられ、複数台の電池モジュールＢＭを１台の管理装置ＣＵにて管理する。
【００１４】
〔全体構成〕
電池モジュールＢＭ内には、組電池１とその組電池１の動作状態を監視する電池監視装置２と、管理装置ＣＵとの通信のための信号線を接続する入力側コネクタ４ａ及び出力側コネクタ４ｂとが備えられ、電池監視装置２が一対の通信用信号線３を経てデジタル信号によって管理装置ＣＵと通信を行うように接続されている。
すわち、本実施の形態で説明する通信システムでは、電池監視装置２が管理装置ＣＵに管理される被管理装置ＲＣとなり、１つの管理装置ＣＵが複数の電池監視装置２（被管理装置ＲＣ）を管理する構成となっている。
【００１５】
電池監視装置２と管理装置ＣＵとの間の通信は、一対の通信用信号線３によって行うので、管理装置ＣＵから電池監視装置２へ送信するデジタル信号と、電池監視装置２から管理装置ＣＵへ送信するデジタル信号とが同一の信号線を共用して伝送されるように構成されている。
電池モジュールＢＭの第１コネクタ４ａと第２コネクタ４ｂとは、電池モジュールＢＭ内で一対の信号線の夫々が直結されており、第１コネクタ４ａに接続される信号線の信号を第２コネクタ４ｂに接続される信号線にそのまま伝達するように配線されている。
【００１６】
管理装置ＣＵに近い側を「上段側」と表現し、遠い側を「下段側」と表現して、各電池モジュールＢＭにおいて、第１コネクタ４ａが上段側の電池モジュールＢＭの第２コネクタ４ｂに信号線（モジュール間接続線５）にて接続され、第２コネクタ４ｂが下段側の電池モジュールＢＭの第１コネクタ４ａに信号線（モジュール間接続線５）にて接続される形態で、各電池モジュールＢＭ間が直列的に接続されている。
図１において「＃１」として示す最上段の電池モジュールＢＭの第１コネクタ４ａは管理装置ＣＵとの間の通信のための通信用信号線３に接続されている。
この接続によって、管理装置ＣＵから送信された信号は全ての電池モジュールＢＭの電池監視装置２に入力され、いずれかの電池モジュールＢＭの電池監視装置２から送信された信号は、管理装置ＣＵ及び他の全ての電池モジュールＢＭの電池監視装置２に入力されることになり、通信用信号線３を全ての電池モジュールＢＭで（すなわち全ての電池監視装置２で）共用している。
【００１７】
〔電池モジュールＢＭの構成〕
各電池モジュールＢＭは同一構成であり、図２の回路図に示すように、組電池１は５個の単電池１ａ（セル）を直列接続して構成する場合を例示しており、この組電池１を監視する電池監視装置２には、組電池１の各単電池１ａの電圧及び組電池１に取り付けたサーミスタ１１の検出電圧が入力される電池監視用マイクロプロセッサ１２と、受信した信号を電池監視用マイクロプロセッサ１２の信号入力部（「ＲｘＤ」）へ送る受信回路１３と、電池監視用マイクロプロセッサ１２の信号出力部（「ＴｘＤ」）から出力された信号を通信用信号線３等に送信出力する送信回路１４と、入力と出力とを電気的に絶縁した状態で信号を伝送する通信用のトランス１５と、電池監視装置２の動作用電源「Ｖｃｃ」を組電池１からの供給電圧によって生成する電源回路１６とが備えられる他、ダイオード１７，１８等が備えられている。
【００１８】
電池監視用マイクロプロセッサ１２には、組電池１における各単電池１ａの接続点から引込まれる信号線やサーミスタ１１に接続する信号線の電圧をＡ／Ｄ変換するＡ／Ｄコンバータが内蔵されており、図２において「Ａ／Ｄ」として示す端子がそれらの信号入力となっている。
電池監視用マイクロプロセッサ１２は、「Ｖｃｃ」として示す端子と「Ｖｓｓ」として示す端子との間の電圧によって動作し、「Ｖｃｃ」端子は電源「Ｖｃｃ」に接続され、「Ｖｓｓ」端子はグランド側に接続されている。
トランス１５は、電池モジュールＢＭの回路系の電圧が管理装置ＣＵの回路系の電圧よりも高電圧であることから、電池監視装置２と管理装置ＣＵとの間の通信経路の途中箇所を電気的に絶縁するために備えられている。
このような絶縁のための手段としてはフォトカップラが用いられる場合が多いが、フォトカップラは長期に亘る使用において信頼性に若干欠ける面もあるため、トランス１５を使用して電気的に絶縁させることで、通信のための回路構成の信頼性を向上させている。
又、トランス１５は信号の入出力を双方向に設定できるので、被管理装置ＲＣから管理装置ＣＵへの送信と管理装置ＣＵから被管理装置ＲＣへの送信とで信号経路を共有させることとの整合性も極めて良好である。
【００１９】
受信回路１３は、コレクタ端子が抵抗１３ａを介して電源「Ｖｃｃ」に接続されたトランジスタ１３ｂを主要部として構成されている。
送信回路１４は、ソース端子が電源「Ｖｃｃ」に接続されると共に、ゲート−ソース間が抵抗１４ａにて接続されたＭＯＳＦＥＴ型のトランジスタ１４ｂと、コレクタ端子が抵抗１４ｃを介して電源「Ｖｃｃ」に接続されたトランジスタ１４ｄとを主要部として構成されている。
【００２０】
〔電源回路１６の構成及び動作〕
電源回路１６には、図３の回路図に示すように、ベース端子が「制御入力」として示す入力位置からダイオード１７を介してトランス１５の一端に接続されるトランジスタ２１と、トランジスタ２１のコレクタ端子を組電池１の正極側（「電池電源入力」として示す）に接続する直列接続の抵抗２２及び抵抗２３と、抵抗２３と並列に接続されたコンデンサ２４と、ベース端子が抵抗２５を介して抵抗２２と抵抗２３との接続位置に接続されたトランジスタ２６と、トランジスタ２６のコレクタ端子と抵抗２７を介して接続されたシャント・レギュレータ２８と、抵抗２７とシャント・レギュレータ２８のカソード端子との接続位置にベース端子が接続されたトランジスタ２９と、トランジスタ２９のコレクタ端子を組電池１の正極側に接続する抵抗３０と、トランジスタ２９のエミッタ端子をグランドに接続する直列接続の抵抗３１及び抵抗３２とが備えられている。
【００２１】
電源回路１６の基本的な機能は、上述のように、電池監視装置２が動作するための電源「Ｖｃｃ」を組電池１の発生電圧から生成する機能であり、抵抗３１と抵抗３２との接続位置にリファレンス端子が接続されたシャント・レギュレータ２８が、そのリファレンス端子の電圧を所定の電圧に安定化させるようにトランジスタ２９のベース電流を制御して、トランジスタ２９のエミッタ端子の電圧が電源「Ｖｃｃ」の目標電圧となるように安定化制御する。
【００２２】
電源回路１６には、更に、組電池１から電池監視装置２への動作用電力の供給を入り切りする機能、すなわち、電源「Ｖｃｃ」として目標電圧を発生するか、あるいは、「Ｖｃｃ出力」の電位をグランド電位に落として上記電力の供給を停止するかを切換える機能を有している。
この機能を果たすために、電池監視装置２を動作させるための電力を供給する入り状態と前記電力の供給を停止する切り状態とに切換えるスイッチ装置ＳＷとしてトランジスタ２６が備えられ、そのスイッチ装置ＳＷを制御するスイッチ制御回路ＳＣとして、抵抗２２，２３，２５、トランジスタ２１及びコンデンサ２４、更には、トランジスタ２１のベース端子及びエミッタ端子に接続された抵抗３３及び抵抗３４が備えられている。
【００２３】
トランジスタ２１は、トランス１５の一端からダイオード１７を経て入力される「制御入力」に設定レベル以上の信号が入力されると、「ＯＮ」状態となり、それに伴って抵抗２２及び抵抗２３に電流が流れてトランジスタ２６のベース電位を低下させ、トランジスタ２６も「ＯＮ」状態となる。
これによって、トランジスタ２９にベース電流が供給されて電源「Ｖｃｃ」として目標電圧（すなわち、電池監視装置２の動作用の電力）が供給される。
トランジスタ２１の「ＯＮ／ＯＦＦ」は、次ぎに説明するように、管理装置ＣＵから電池監視装置２へ送信される信号によって、切換えられる。
【００２４】
管理装置ＣＵと電池監視装置２との間の通信は、図４（ａ）の上段側の信号波形で示すようなシリアル通信にて行われる。
尚、厳密には、図４（ａ）の上段の信号波形は、ダイオード１７の順電圧によって電圧が降下した後のトランジスタ２１のベースに現われる電圧を示しているが、ダイオード１７による電圧降下分を除けば、通信用信号線３に現われる信号波形そのものと見なせる。
管理装置ＣＵと電池監視装置２との間の通信は、管理装置ＣＵから電池監視装置２へ送信する信号と電池監視装置２から管理装置ＣＵへ送信する信号とを同一の信号線（通信用信号線３）を共用する関係上、図４（ａ）の上段の信号波形において「管理装置の送信信号」及び「電池監視装置の送信信号」として示すように、通信用信号線３において、管理装置ＣＵから電池監視装置２への送信（「管理装置の送信信号」に対応）と、電池監視装置２から管理装置ＣＵへの送信（「電池監視装置の送信信号」に対応）とが交互に行われるように構成されている。
【００２５】
より具体的には、「管理装置の送信信号」として示す期間と「電池監視信号の送信信号」として示す期間とを足し合わせた期間を１周期（一定）として、その一定周期で管理装置ＣＵから電池監視装置２への送信と電池監視装置２から管理装置ＣＵへの送信とを交互に繰り返している。
図４（ａ）の上段の信号波形に示すように、管理装置ＣＵから電池監視装置２へ送信するデジタル信号の信号レベルと、電池監視装置２から管理装置ＣＵへ送信するデジタル信号の信号レベルとが異なるように設定されている。
これは、電源回路１６が電池監視装置２の動作用の電力を供給するか否かの切換えを管理装置ＣＵから送られてくる信号によって行わせるためであり、電池監視装置２から管理装置ＣＵへ送信する信号によってトランジスタ２１のベースに現われる電圧は、トランジスタ２１を「ＯＮ」させるための電圧（図４（ａ）において１点鎖線Ｐにて示す）よりも低くなるように設定されており、仮に電池監視装置２が暴走して電池監視装置２から送信出力を継続したままの状態となっても、その送信出力される信号ではトランジスタ２１は「ＯＮ」とはならない。
電池監視装置２の送信回路１４は、送信出力するデジタル信号の信号レベルがそのような信号レベルとなるように、電源「Ｖｃｃ」の目標電圧及び抵抗１４ｃの抵抗値を設定しており、更に、ダイオード１８の順電圧による電圧降下も寄与している。
【００２６】
従って、そのままでは、「電池監視装置の送信信号」として示す期間に、電池監視装置２への動作用電力の供給が停止してしまうことになるが、「電池監視装置の送信信号」として示す期間にも、確実に電池監視装置２へ動作用電力が供給されるように、電源回路１６の前記スイッチ制御回路ＳＣにコンデンサ２４が備えられている。
管理装置ＣＵから電池監視装置２へ、１点鎖線Ｐ（図４（ａ）参照）で示すトランジスタ２１が「ＯＮ」となる電圧よりも高くなる信号レベルのデジタル信号が送信されると、トランジスタ２１が「ＯＮ」状態となることによって抵抗２３の両端に発生する電圧によってコンデンサ２４が充電される。
この充電によって、コンデンサ２４の充電電圧は、図４（ａ）の下段に示すように変化する。尚、図４（ａ）の上段の信号波形と下段の信号波形とは時間軸を共通としてある。
【００２７】
図４（ａ）において「電池監視装置の送信信号」として示す期間において電池監視装置２から管理装置ＣＵへ通信用信号線３を経て送信するデジタル信号の信号レベルではトランジスタ２１は「ＯＦＦ」状態となりコンデンサ２４への充電動作はなく、「電池監視装置の送信信号」として示す期間の信号レベルによってはコンデンサ２４の充電電圧がトランジスタ２６を「ＯＮ」状態（前記入り状態）とする電圧とはならないものであるが、その前の「管理装置の送信信号」として示す期間でコンデンサ２４へ充電されており、その充電電圧は、トランジスタ２６を「ＯＮ」状態（前記入り状態）とするための設定電圧である図４（ａ）の下段において１点鎖線Ｑで示す電圧よりも高い電圧を維持している。
「電池監視装置の送信信号」の期間に入って更に時間が経過すると、コンデンサ２４の電荷は主として抵抗２３を介して放電され、図４（ａ）の下段の信号波形に示すように低下して行く。
もしコンデンサ２４の充電電圧が１点鎖線Ｑの設定電圧よりも低くなると、トランジスタ２６は「ＯＦＦ」状態（前記切り状態）となるが、その設定電圧よりも低くなる前に「管理装置の送信信号」として示す期間に入るため、トランジスタ２６は継続して「ＯＮ」状態を維持する。
【００２８】
換言すると、電池監視装置２から管理装置ＣＵへ送信する期間（「電池監視装置の送信信号」として示す期間）における放電により低下するコンデンサ２４の充電電圧が、「電池監視装置の送信信号」として示す期間が完了して、次の「管理装置の送信信号」の期間に入るまでは、トランジスタ２６を「ＯＮ」状態とするための充電電圧（図４（ａ）の下段において１点鎖線Ｑで示す電圧よりも高い電圧）を維持するように、管理装置ＣＵから電池監視装置２へ送信するデジタル信号の信号値及び信号レベル、並びに、コンデンサ２４の放電時定数（主に、コンデンサ２４の容量及び抵抗２３の抵抗値により決まる）が設定されている。
より具体的には、図４（ａ）の上段の信号波形の「管理装置の送信信号」で示す期間内のデジタル信号を、先行の「電源保持信号」と後続の「通信データ」との組合わせで構成している。
【００２９】
この「電源保持信号」は何らかのデータを含むものではなく、コンデンサ２４を的確に充電するための信号部分であり、それに引き続く「通信データ」の部分で各電池監視装置２へ送信したい実質的な通信データを含める。
「電源保持信号」の期間は、「通信データ」の期間中が無信号の状態でも、「電池監視装置の送信信号」で示す期間の間、コンデンサ２４の充電電圧が１点鎖線Ｑで示す電圧を上回るように設定されることが好ましいが、実際には「通信データ」の期間中が無信号の状態となることはないので、それよりも若干短い期間でも良い。
このように構成することで、スイッチ制御回路ＳＣは、管理装置ＣＵから送信されてくる信号レベルのデジタル信号を受信したときに管理装置ＣＵと電池監視装置２との間で相互に送受信可能となるようにトランジスタ２６（スイッチ装置ＳＷ）を設定期間の間前記入り状態に維持させるように制御し、且つ、電池監視装置２から送信する信号レベルのデジタル信号によってはトランジスタ２６を前記入り状態には維持させないように制御している。
【００３０】
以上のようにして、管理装置ＣＵから電池監視装置２へ一定周期で送信されるデジタル信号によってコンデンサ２４が充電されることで、電池監視装置２へ動作用の電力が供給されている状態から、管理装置ＣＵが電池監視装置２との通信を必要としない状態となって、電池監視装置２への信号送信を停止すると、図４（ｂ）に示すように、最後の「管理装置の送信信号」として示す期間の完了後、コンデンサ２４は、再度充電されないまま放電状態を維持して、それの充電電圧が低下し続ける。
そして、破線Ｒで示すタイミングで１点鎖線Ｑで示す電圧よりも低くなって、トランジスタ２６は「ＯＦＦ」状態となり、電源回路１６の「Ｖｃｃ出力」から出力される電源「Ｖｃｃ」の電圧はグランド電位に低下して、組電池１からの電池監視装置２の動作用の電力の供給が切り状態となる。
【００３１】
〔管理装置ＣＵと電池監視装置２との間の通信の概要〕
管理装置ＣＵは、各電池モジュールＢＭから図示を省略する負荷機器へ電力を供給している状態において、定常的に各電池モジュールＢＭの電池監視装置２と通信を行い、各電池モジュールＢＭの組電池１の動作状態を電池監視装置２を通じて管理している。
一方、各電池モジュールＢＭから負荷機器への電力の供給が停止したときには、各電池監視装置２との通信を停止する。
【００３２】
管理装置ＣＵと電池監視装置２との間の通信形態は、先ず管理装置ＣＵから図４（ａ）の上段側の信号波形において「管理装置の送信信号」として例示する信号を送信する。
この「管理装置の送信信号」は上述のように、「電源保持信号」と「通信データ」とにより構成され、この信号が通信用信号線３を経て管理装置ＣＵの管理下にある全ての電池モジュールＢＭの電池監視装置２へ一斉に送信されることになる。
上記の「通信データ」の部分には、管理装置ＣＵがデータの送信を要求する電池監視装置２を特定する識別情報が含まれており、各電池監視装置２は、管理装置ＣＵから送られてきた上記の「通信データ」に自己の識別情報が含まれていれば、組電池１を構成する各単電池１ａの電圧値やサーミスタ１１の検出情報、更には、組電池１全体の発生電圧やそれらの検出情報から組電池１の動作状態を解析したデータ等を、デジタル信号として通信用信号線３へ送出する。いずれかの電池監視装置２から送出された信号は、全ての電池監視装置２の電源回路１６の「制御入力」に入力されるが、上述のように、この入力信号によって電池監視装置２の動作用電力の供給状態が影響を受けることはない。
【００３３】
各電池監視装置２は、上記の「通信データ」の部分に自己の識別情報が含まれていなければ何もしないので、図４（ａ）の上段側の信号波形において「電池監視装置の送信信号」として示す期間では、通信用信号線３上に管理装置ＣＵにて指定された電池監視装置２から送出された信号が存在することになる。
管理装置ＣＵは、上記「通信データ」に含まれる電池監視装置２の識別信号を順次に切換えて各電池監視装置２をスキャンする形態で、各電池モジュールＢＭの組電池１の情報を取得する。
電池モジュールＢＭから負荷機器への電力供給が停止して、電池モジュールＢＭの動作状態の管理が不要となった管理装置ＣＵが各電池監視装置２への送信を停止すると、上述のように、各電池モジュールＢＭにおいて、組電池１から電池監視装置２への動作用の電力の供給が停止され、組電池１の放電を抑制して電池モジュールＢＭの非使用時の消費電力の低減が図れる。
【００３４】
〔別実施形態〕
以下、本発明の別実施形態を列記する。
（１）上記実施の形態では、管理装置ＣＵから被管理装置ＲＣ（電池監視装置２）へ送信するデジタル信号の信号レベルと、被管理装置ＲＣから管理装置ＣＵへ送信するデジタル信号の信号レベルとの違いを、被管理装置ＲＣへ動作用の電力を供給させるかさせないかの制御に利用する場合を例示しているが、受け取った信号が管理装置ＣＵからのものかあるいは被管理装置ＲＣからのものかを識別するための信号として利用しても良い。
【００３５】
（２）上記実施の形態では、被管理装置ＲＣ（電池監視装置２）から管理装置ＣＵへ送信する期間において、被管理装置ＲＣへ動作用の電力が供給される状態を維持するために、スイッチ制御回路ＳＣにコンデンサ２４を備える場合を例示しているが、例えば、スイッチ制御回路ＳＣにタイマー回路を備えて、管理装置ＣＵから被管理装置ＲＣへ送信されたデジタル信号を受け取ってからタイマー回路が設定期間の計時を完了するまでの間、トランジスタ２６（スイッチ装置ＳＷ）を「ＯＮ」状態（前記入り状態）に維持させるように構成する等、上記実施形態のスイッチ制御回路ＳＣと同様の機能を果たすための具体的な回路構成は種々に変更可能である。
（３）上記実施の形態では、被管理装置ＲＣ（電池監視装置２）と管理装置ＣＵとの間の全範囲で通信用信号線３及びモジュール間接続線５の有線の信号線にて接続する場合を例示しているが、これらの信号線の途中箇所を無線通信により通信を行う構成とする場合にも本発明を適用できる。
【図面の簡単な説明】
【００３６】
【図１】本発明の実施の形態にかかる通信システムの全体構成図
【図２】本発明の実施の形態にかかる電池モジュールの回路図
【図３】本発明の実施の形態にかかる電源回路の回路図
【図４】本発明の実施の形態にかかる電源回路の動作を説明するための信号波形図
【符号の説明】
【００３７】
ＣＵ  管理装置
ＲＣ  被管理装置
ＳＣ  スイッチ制御回路
ＳＷ  スイッチ装置
３    通信用信号線
１５  トランス
２４  コンデンサ
【図１】
2007311959.tif 000003
【図２】
2007311959.tif 000004
【図３】
2007311959.tif 000005
【図４】
2007311959.tif 000006